(57)【要約】【課題】高周波回路で使用されるコンデンサに関し、自己共振周波数をより高周波側にシフトさせてコンデンサの周波数特性を広帯域化させた高周波用コンデンサ及びそれを用いた高周波電子部品を提供する。【解決の手段】誘電体シート上に形成される複数個のコンデンサで１個の高周波用コンデンサを合成し、前記複数個のコンデンサはそれぞれのコンデンサを構成する電極の少なくも一方の電極がライン状の電極によって接続する構成とした。【選択図】　　　　図１
2004063897.tif 000002
【特許請求の範囲】
【請求項１】
複数の誘電体シートにより構成される多層基板に形成される高周波用コンデンサであって、前記高周波用コンデンサは複数のコンデンサにより合成して形成されると共に、前記複数のコンデンサを構成するそれぞれのコンデンサ電極の少なくとも一方の電極は、前記多層基板を構成する誘電体シート上に形成されるライン状の電極によりそれぞれ接続されることを特徴とする高周波用コンデンサ。
【請求項２】
複数の誘電体シートにより構成される多層基板に形成される高周波用コンデンサであって、前記高周波用コンデンサを構成する少なくとも一方の電極は少なくとも１個以上の切り欠き部を有する形状に形成された高周波用コンデンサ。
【請求項３】
前記複数のコンデンサは略同一容量で構成されることを特徴とする請求項１又は２に記載の高周波用コンデンサ。
【請求項４】
前記複数のコンデンサは異なる容量で構成されることを特徴とする請求項１又は２に記載の高周波用コンデンサ。
【請求項５】
前記複数のコンデンサは前記多層基板を構成する同一の誘電体シートを前記複数のコンデンサの誘電体層として含むことを特徴とする請求項１乃至４の何れかに記載の高周波用コンデンサ。
【請求項６】
請求項１乃至５の何れかに記載の高周波用コンデンサを用いたことを特徴とする高周波電子部品。
【発明の詳細な説明】
【０００１】
【発明の属する技術分野】
本発明は、例えば携帯電話、自動車電話等の無線機器の回路部等において、特に高周波回路部で使用される高周波用コンデンサ及びそれを用いた高周波電子部品に関する。
【０００２】
【従来の技術】
従来より、携帯電話等の高周波回路において低温同時焼成セラミック多層基板（ＬＴＣＣ）を用いた高周波部品が使用されている。その構成はセラミック多層基板の内部に導体パターンによりコンデンサ又はコイルを形成して内蔵させ、必要に応じて前記基板の表面に個別部品を搭載する構成としている。特に前記内蔵されたコンデンサは前記基板を構成する層を誘電体層とし、積層方向で前記誘電体層を介して上下の電極を対向させる構成としている。
【０００３】
図１０は図１１に示す等価回路のローパスフィルタ（ＬＰＦ）を多層基板で構成した際の構造を説明した分解斜視図である。更に、図１２は図１０に示した各シートを積層し、側面に端子をつけて高周波部品とした時のＬＰＦ１０の外観を示した図である。
【０００４】
該ＬＰＦ１０は図１０に示すように、多層基板を構成する誘電体シート１１〜１７からなる。誘電体シート１７上には略全面を覆うＧＮＤ電極５０が形成され、電極５１、５２、５３、５４によりＬＰＦ１０の側面に形成される電極６３、６１、６４、６６に接続する。誘電体シート１６上には、前記ＧＮＤ電極５０と誘電体シート１６を挟んで対向する電極３１、３６が形成され、該電極３１、３６はＬＰＦ１０のコンデンサＣ１、Ｃ２を構成する。電極３１、３６は電極３３、３８によりＬＰＦ１０の側面に形成される電極６２、６５に接続する。
【０００５】
誘電体シート１３〜１５は前記コンデンサと後述するコイルとの電気的影響を低減させるためのスペーサーとして機能させる層である。また、誘電体シート１３上と誘電体シート１２上にはそれぞれコイル導体２２、２１を形成し、これらのコイル導体はそれぞれの一方の端部で誘電体シート１２を貫通するスルーホール電極２３により接続する。一方、前記コイル導体２１、２２のそれぞれの他方の端部はＬＰＦ１０の側面に形成される電極６２、６５に接続する。
【０００６】
従ってＬＰＦ１０は電極６２、６５を入出力端子とし、その他の電極６３、６１、６４、６６をＧＮＤ（接地）端子とする高周波部品となる。
【０００７】
該構成のＬＰＦ１０に関し、コイルＬ１を約５ｎＨとし、コンデンサを約５ｐＦとして試作した時の信号の入出力に関する周波数特性を図１３に示す。図１３においてＬＰＦ１０は１ＧＨｚ付近を通過帯域とし、２ＧＨｚ付近に減衰極を有する特性となった。
【０００８】
【発明が解決しようとする課題】
しかし、前記ＬＰＦ１０には下記のような問題があった。
【０００９】
前記ＬＰＦ１０のローパスフィルタ特性として２ＧＨｚ以上の周波数帯域の減衰量が欲しい場合、ＬＰＦ１０の試作結果として得られた図１３に示す電気特性は、２ＧＨｚ帯付近で十分な減衰特性が得られているが、４ＧＨｚ以降の周波数帯域では２０ｄＢ以上の減衰量は得られない状況を示している。即ち、広帯域にわたる減衰帯域がとれないことを示している。
【００１０】
これは図１１に示すコンデンサＣ１、Ｃ２コンデンサの自己共振周波数が原因であり、理想素子のコンデンサは自己共振周波数が無いので、高周波帯になるに従い、コンデンサＣ１、Ｃ２のインピーダンスは小さくなるが、実際のコンデンサは特定周波数で自己共振してインピーダンスが極小となり、更により高い周波数帯では逆にインピーダンスが増大する。そのためＬＰＦ１０で除去すべき高周波信号のインピーダンスを下げることができず、図１３に示すように高周波帯の減衰量を悪化させてしまうことになっていた。
【００１１】
更に、十分な高調波対策を講じるためにはＬＰＦ１０の段数を増やすことが考えられるが、結局部品点数が増えるので、高周波部品としての形状の小型化が困難となる。その上、ＬＰＦ１０の多段化の設計は通過させる信号に対し、ＬＰＦ１０による挿入損失の増大を招く。特に、携帯電話等の高周波回路の設計では挿入損失の増大は受信系では受信回路中の信号のＳ／Ｎ比の悪化を招き、また送信系では電力消費の増大につながり、バッテリー駆動時間が短くなる等の問題が生じる。
【００１２】
本発明は、これらの不都合に鑑みてなされたものであり、高周波部品の形状の増大を極力抑え、且つ通過する高周波信号の損失の増大を抑えて、高周波特性を改善できる高周波部品を提供することを目的とする。
【００１３】
【課題を解決するための手段】
上記の目的を達成するために、本願第１の発明は、複数の誘電体シートにより構成される多層基板に形成される高周波用コンデンサであって、前記高周波用コンデンサは複数のコンデンサにより合成して形成されると共に、前記複数のコンデンサを構成するそれぞれのコンデンサ電極の少なくとも一方の電極は、前記多層基板を構成する誘電体シート上に形成されるライン状の電極によりそれぞれ接続されることを特徴とする高周波用コンデンサである。
【００１４】
この構成により、目的のコンデンサ容量を１個で構成する高周波コンデンサに比べ、複数のコンデンサで前記高周波コンデンサと同程度のコンデンサ容量構成することにより、コンデンサの自己共振周波数を高周波側にシフトさせることができる。従って、広帯域の高周波回路の設計に適した高周波コンデンサを提供することができる。更に、前記複数のコンデンサを構成する電極の双方を前記ライン状の電極により接続することにより本願に係る高周波用コンデンサの広帯域化の効果が得られる。
【００１５】
本願第２の発明は、複数の誘電体シートにより構成される多層基板に形成される高周波用コンデンサであって、前記高周波用コンデンサを構成する少なくとも一方の電極は少なくとも１個以上の切り欠き部を有する形状に形成された高周波用コンデンサである。
【００１６】
この構成により、目的のコンデンサ容量を１個で構成する高周波コンデンサに比べ、前記切り欠き部により１個のコンデンサを複数のコンデンサで形成した構造となり、前記高周波コンデンサと同程度のコンデンサ容量構成することにより、コンデンサの自己共振周波数を高周波側にシフトさせることができる。従って、広帯域の高周波回路の設計に適した高周波コンデンサを提供することができる。更に、前記複数のコンデンサを構成する電極の双方に前記切り欠き部を形成することにより本願に係る高周波用コンデンサの広帯域化の効果が得られる。
【００１７】
本願第３の発明に係る高周波コンデンサは、本願第１又は２の発明において、前記複数のコンデンサは略同一容量で構成されることを特徴とする。
【００１８】
この構成により、高周波コンデンサを構成する２つの端子間の高周波帯での低インピーダンス帯域が広くなり、高周波回路の広帯域化に適した高周波コンデンサを提供できる。
【００１９】
本願第４の発明に係る高周波コンデンサは、本願第１又は２の発明において、前記複数のコンデンサは異なる容量で構成されることを特徴とする。
【００２０】
この構成により、高周波コンデンサを構成する２つの端子間の高周波帯での低インピーダンス帯域を複数の帯域に作ることが可能となり、高周波回路の広帯域化に適した高周波コンデンサを提供できる。
【００２１】
本願第５の発明に係る高周波コンデンサは、本願第１乃至４の何れかに記載の発明において、前記複数のコンデンサは前記多層基板を構成する同一の誘電体シートを前記複数のコンデンサの誘電体層として含むことを特徴とする。
【００２２】
この構成により、製造時において前記複数のコンデンサのそれぞれで形成されるコンデンサ容量値を安定化させ、これにより前記複数のコンデンサの合成により形成される高周波コンデンサの容量値を安定化させる。
【００２３】
本願第５の発明は、本願第１乃至５の何れかに記載の発明に係る高周波コンデンサを用いた高周波電子部品とした。
【００２４】
この構成により、広帯域設計された高周波電子部品を提供することが可能となる。
【００２５】
【発明の実施の形態】
以下、本発明に係る高周波電子部品の実施の形態を図面に従って説明する。
【００２６】
（第１の実施の形態）
図２は本発明に係る高周波部品であるローパスフィルタの等価回路を示した図である。図２では、コイルＬ１の両端に設けていた接地用のコンデンサをそれぞれ略均等に構成した。即ち従来の例の図１１で示したコンデンサＣ１、Ｃ２（容量値Ｃ１、Ｃ２）に対し、図２で示すコンデンサＣ１１、Ｃ１２、Ｃ２１、Ｃ２２（容量値Ｃ１１、Ｃ１２、Ｃ２１、Ｃ２２）はそれぞれＣ１≒Ｃ１１＋Ｃ１２、Ｃ２≒Ｃ２１＋Ｃ２２であって、且つＣ１１≒Ｃ１２、Ｃ２１≒Ｃ２２とした。そのため、コンデンサの個数が増える構成となるが、コンデンサが形成するコンデンサ容量値の合計は変わらないので、従来例におけるコンデンサのパターン領域は本実施の形態においても各コンデンサを個別化するための領域を除けば同程度の領域で形成することが可能である。
【００２７】
図１は本発明に係る高周波電子部品であって、図２に示した等価回路で構成されるＬＰＦ１００の実施の形態を説明した分解斜視図である。図３は本発明に係る高周波電子部品である前記ＬＰＦ１００の外観を示した図である。
【００２８】
ＬＰＦ１００は図１に示すように多層基板を構成する誘電体シート１１１〜１１７からなる。誘電体シート１１７上には前記コンデンサＣ１１、Ｃ１２、Ｃ２１、Ｃ２２を構成する接地側の電極１４１、１４２、１４６、１４７が形成され、ライン状の電極１４４により電極１４１と電極１４２は接続され、ライン状の電極１４９により電極１４６と電極１４７は接続されている。このとき、ライン状の電極１４４により電極１４１と電極１４２により形成さる電極の形状は、一体の矩形の電極に対して切り欠き部１５１、１５２を設けた形状とも表現できる。そのため説明を統一するため本発明の全て実施の形態では該電極の形状を複数の電極をライン状導体で接続した形状として説明する。
【００２９】
該形成された電極１４１、１４２は電極１４３によりＬＰＦ１００の側面に形成される電極５１３に接続し、電極１４６、１４７は電極１４８によりＬＰＦ１００の側面に形成される電極５２３に接続する。
【００３０】
前記ライン状の電極１４４、１４９は該形状について図１に示すように、コンデンサを形成する電極１４１、１４２、１４６、１４７の各形状の巾寸法に比べ、細く形成される。
【００３１】
誘電体シート１１６は前記コンデンサの誘電体層になると共に、誘電体シート１１６上に前記コンデンサＣ１１、Ｃ１２、Ｃ２１、Ｃ２２を構成する非接地側の電極１３１、１３２、１３６、１３７がＬＰＦ１００の積層方向で前記電極１４１、１４２、１４６、１４７の対応する位置に形成されている。電極１３１と電極１３２はライン状の電極１３４により接続され、電極１３３によりＬＰＦ１００の側面に形成する電極５１２に接続する。また、電極１３６と電極１３７はライン状の電極１３９により接続され、電極１３８によりＬＰＦ１００の側面に形成する電極５２２に接続する。
【００３２】
前記ライン状電極の１３４、１３９は該形状について図１に示すように、コンデンサを形成する電極１３１、１３２、１３６、１３７の各形状の巾寸法に比べ、細く形成される。
【００３３】
ここで、前記Ｃ１１≒Ｃ１２関係から電極１４１、１４２は互いにほぼ等しい面積で形成し、また電極１３１、１３２も互いにほぼ等しい面積で形成する。更に、前記Ｃ２１≒Ｃ２２関係から電極１４６、１４７は互いにほぼ等しい面積で形成し、また電極１３６、１３７も互いにほぼ等しい面積で形成する。
【００３４】
誘電体シート１１３〜１１５は前記コンデンサＣ１１、Ｃ１２、Ｃ２１、Ｃ２２と後述するコイルとの影響を低減させるためのスペーサーとして機能する層として設定する。
【００３５】
誘電体シート１１３上と誘電体シート１１２上にはそれぞれコイル導体１２２、１２１が形成され、これらのコイル導体はそれぞれの一方の端部で誘電体シート１１２を貫通するスルーホール電極１２３により接続する。一方、前記コイル導体１２２、１２１のそれぞれの他方の端部はＬＰＦ１００の側面に形成する電極５１２、５２２に接続する。
【００３６】
誘電体シート１１１は前記コイル導体１２１を保護する層として設定する。
【００３７】
以上により、ＬＰＦ１００は電極５１２、５２２を入出力端子とし、その他の電極５１３、５１１、５２３、５２１をＧＮＤ（接地）端子とする高周波部品となる。
【００３８】
図４は本発明に係る高周波部品であるＬＰＦ１００の上記実施の形態において、コイルを約５ｎＨとしコンデンサについてＣ１１≒Ｃ１２≒Ｃ２１≒Ｃ２２≒２．５ｐＦとして試作を行った時のＬＰＦ１００の入出力特性に関する周波数特性の結果である。
【００３９】
従来のＬＰＦ１０の周波数特性（図１３）と本実施の形態のＬＰＦ１００の周波数特性（図４）とを比較すると、それぞれの高周波部品を構成するコイル及びコンデンサは電気回路的に等しい定数であり、そのため信号の通過帯域に関しては同等の１ＧＨｚ帯となっている。しかし、その高調波帯については明らかに本発明に係る実施の形態であるＬＰＦ１００の方が減衰帯域は広帯域化している。即ち、２ＧＨｚ帯で２０ｄＢ以上の減衰量を有し、５ＧＨｚ帯において３０ｄＢ以上の減衰量を有しており、従来の例で示された図１３の特性に比べ良好な高調波特性を有する高周波部品であるローパスフィルタが得られた。
【００４０】
上記実施の形態に関して、いくつかの変形が可能である。
【００４１】
（１）前記ライン状の電極１４４、１４９、１３４、１３９のパターンは必ずしも直線形状である必要はなく、曲線状であってもよく、或いは屈曲部を有していてもよい。
【００４２】
（２）図１における誘電体層１１７上に形成された電極１４２、１４７はＧＮＤ電極であるので、同図の電極１４３及び１４８のようにＬＰＦ１００の側面に形成される電極５１１、５２１に接続する電極を設けてもよい。
【００４３】
（３）図１における誘電体層１１７上に形成された電極１４１、１４２、１４６、１４７に関しては、図５に示すように、一体の電極１５０としてもよく、この場合、電極１５１、１５２、１５３、１５４によりＬＰＦ１００の側面に形成される電極５１３、５１１、５２３、５２１に接続させる。尚、これ以外の図５に示す番号は、図１と同一のものは同一のものを示し、その構成は図１と同一であるので説明を省略する。
【００４４】
（４）図２で示したＬＰＦの等価回路は入出力両端に設定した両コンデンサに関してそれぞれを二等分してＬＰＦ１００を作製したが、必ずしも両方のコンデンサに対して行わなくてもよく、一方のコンデンサのみが二等分されていてもよい。即ち、一方をＣ１とし、もう一方をＣ２１とＣ２２の構成として、ＬＰＦ１００を作製してもよい。
【００４５】
（５）図２で示したＬＰＦの等価回路は入出力両端に設定した両コンデンサに関してそれぞれを２個の構成でＬＰＦ１００を作製したが、必ずしも２個でなくてもよく、それ以上の複数個で構成することが可能であり、また、前記両コンデンサを構成するコンデンサの数も同数である必要はない。
【００４６】
以上の（１）〜（５）構成方法に関してはＬＰＦ１００の得られる特性からそれぞれ選択されることになる。また、（１）〜（５）構成方法の組み合わせを行うことも可能である。
【００４７】
（第２の実施の形態）
第２の実施の形態においては図７に示す本発明に係る高周波部品であるローパスフィルタの等価回路において、コイルＬ１の両端に設けた接地用のコンデンサについて、それぞれ異なる容量のコンデンサで構成した。即ち従来例の図１１で示したコンデンサＣ１、Ｃ２（容量値Ｃ１、Ｃ２）に対し、図２で示すコンデンサＣ３１、Ｃ４１、Ｃ３２、Ｃ４２（容量値Ｃ３１、Ｃ４１、Ｃ３２、Ｃ４２）をそれぞれＣ１≒Ｃ３１＋Ｃ４１、Ｃ２≒Ｃ３２＋Ｃ４２であって、且つＣ３１≠Ｃ４１、Ｃ３２≠Ｃ４２とした。そのため、コンデンサの個数が増える構成となるが、コンデンサが形成するコンデンサ容量値の合計は変わらないので、従来例におけるコンデンサのパターン領域は本実施の形態においても各コンデンサを個別化するための領域を除けば同程度の領域で形成することが可能である。
【００４８】
図６は本発明に係る高周波電子部品であって、図７に示した等価回路で構成されるＬＰＦ１００の実施の形態を説明した分解斜視図である。前記ＬＰＦ１００の外観については第１の実施の形態と同様であり図３に示す形状となる。
【００４９】
ＬＰＦ１００は図６に示すように多層基板を構成する誘電体シート１１１〜１１７からなる。誘電体シート１１７上には前記コンデンサＣ３１、Ｃ４１、Ｃ３２、Ｃ４２を構成する接地側の電極２４１、２４２、２４６、２４７が形成され、ライン状の電極２４４により電極２４１と電極２４２は接続され、ライン状の電極２４９により電極２４６と電極２４７は接続されている。該形成された電極２４１、２４２は電極２４３によりＬＰＦ１００の側面に形成される電極５１３に接続し、電極２４６、２４７は電極２４８によりＬＰＦ１００の側面に形成される電極５２３に接続する。
【００５０】
前記ライン状の電極２４４、２４９は該形状について図６に示すように、コンデンサを形成する電極２４１、２４２、２４６、２４７の各形状の巾寸法に比べ、細く形成される。
【００５１】
誘電体シート１１６は前記コンデンサの誘電体層になると共に、誘電体シート１１６上に前記コンデンサＣ３１、Ｃ４１、Ｃ３２、Ｃ４２を構成する非接地側の電極２３１、２３２、２３６、２３７がＬＰＦ１００の積層方向で前記電極２４１、２４２、２４６、２４７の対応する位置に形成されている。電極２３１と電極２３２はライン状の電極２３４により接続され、電極２３３によりＬＰＦ１００の側面に形成する電極５１２に接続する。また、電極２３６と電極２３７はライン状の電極２３９により接続され、電極２３８によりＬＰＦ１００の側面に形成する電極５２２に接続する。
【００５２】
前記ライン状の電極２３４、２３９は該形状について図６に示すように、コンデンサを形成する電極２３１、２３２、２３６、２３７の各形状の巾寸法に比べ、細く形成される。
【００５３】
尚、図１と同一の番号は同一のものを示し、同一構成となるので説明を省略する。
【００５４】
以上により、ＬＰＦ１００は電極５１２、５２２を入出力端子とし、その他の電極５１３、５１１、５２３、５２１をＧＮＤ（接地）端子とする高周波部品となる。
【００５５】
ここで、前記Ｃ３１≠Ｃ４１関係から電極２４１、２４２は互いに異なる面積で形成し、また電極２３１、２３２も電極２４１、２４２に対応して互いに異なる面積で形成する。更に、前記Ｃ３２≠Ｃ４２関係から電極２４６、２４７は互いに異なる面積で形成し、また電極２３６、２３７も電極２４６、２４７に対応して互い異なる面積で形成する。
【００５６】
図８は本発明に係る第２の実施の形態の高周波部品であるＬＰＦ１００の上記実施の形態において、コイルを約５ｎＨとしコンデンサについてＣ３１≒Ｃ４１≒１ｐＦ、Ｃ３２≒Ｃ４２≒４ｐＦとして試作を行った時のＬＰＦ１００の入出力特性に関する周波数特性の結果である。
【００５７】
従来のＬＰＦ１０の周波数特性（図１３）と本実施の形態のＬＰＦ１００の周波数特性（図４）とを比較すると、それぞれの高周波部品を構成するコイル及びコンデンサは電気回路的に等しい定数であり、そのため信号の通過帯域に関しては同等の１ＧＨｚ帯となっている。しかし、その高調波帯についいては、本発明に係る第２の実施の形態であるＬＰＦ１００は２ＧＨｚ帯において４０ｄＢ以上の減衰量が得られると共に、５ＧＨｚ帯においても５０ｄＢ以上の減衰量が得られる特性とすることができる。この場合、特に特定帯域として２ＧＨｚ帯と５ＧＨｚ帯において大きな減衰量が必要な高周波部品にとっては極めて有効であり、従来の構成では得られない高周波特性である。
【００５８】
上記第２の実施の形態に関しても、いくつかの変形が可能である。
【００５９】
（１）前記ライン状の電極２４４、２４９、２３４、２３９のパターンは必ずしも直線形状である必要はなく、曲線状であってもよく、或いは屈曲部を有していてもよい。
【００６０】
（２）図６における誘電体層１１７上に形成された電極２４２、２４７はＧＮＤ電極であるので、同図の電極２４３及び２４８のようにＬＰＦ１００の側面に形成される電極５１１、５２１に接続する電極を設けてもよい。
【００６１】
（３）図６における誘電体層１１７上に形成された電極２４１、２４２、２４６、２４７に関しては、図５で示した電極１５０のように、一体の電極としてもよい。
【００６２】
（４）図７で示したＬＰＦの等価回路は入出力両端に設定した両コンデンサに関して、分割を行ってＬＰＦ１００を作製したが、必ずしも両方のコンデンサに対して行わなくてもよく、一方のコンデンサのみ分割した構成でもよい。即ち、一方をＣ１とし、もう一方をＣ３２とＣ４２の構成として、ＬＰＦ１００を作製してもよい。
【００６３】
（５）図７で示したＬＰＦの等価回路は入出力両端に設定した両コンデンサに関してそれぞれを２個の構成でＬＰＦ１００を作製したが、必ずしも２個でなくてもよく、それ以上の複数個で構成することが可能であり、また、前記両コンデンサを構成するコンデンサの数も同数である必要はない。
【００６４】
以上の（１）〜（５）構成方法に関してはＬＰＦ１００の得られる特性からそれぞれ選択されることになる。また、（１）〜（５）構成方法の組み合わせを行うことも可能である。
【００６５】
図９は、本発明に係る高周波コンデンサについて、該高周波コンデンサを構成するコンデンサの合成に関し、得られる該高周波コンデンサのインピーダンスの周波数特性を示した図である。図中の曲線▲１▼は５ｐＦ単体のコンデンサのインピーダンスであり、曲線▲２▼は２．５ｐＦのコンデンサを２個の並列接続（合成）した本発明に係る高周波コンデンサのインピーダンスであり、曲線▲３▼１ｐＦのコンデンサと４ｐＦのコンデンサを個並列接（合成）した本発明に係る高周波コンデンサのインピーダンスである。前記５ｐＦ単体のコンデンサ及び前記高周波コンデンサのぞれぞれの構成は図１０及び図１、図６においてＣ１、Ｃ１１＋Ｃ１２、Ｃ３１＋Ｃ４１で説明した構造である。
【００６６】
図９より、曲線▲１▼が最も低周波側で自己共振を起こし、その後インピーダンスは上昇してしまう特性となっている。曲線▲２▼は曲線▲１▼よりも自己共振周波数が高周波側にシフトし、低インピーダンス帯域が広くなっていることがわかる。曲線▲３▼は２つの自己共振周波数が高周波帯に起きるため、それぞれの自己共振周波数帯域で低インピーダンス領域を作ることができることがわかる。図９に示す高周波コンデンサのインピーダンスの周波数特性が本発明に係る高周波電子部品の前記実施の形態における効果をもたらしている。
【００６７】
上記実施の形態ではローパスフィルタについて本発明に係る高周波部品として適用したが、他のフィルタやカプラ、ダイプレクサ、アンテナスイッチ、アンプ、ミキサ等、高周波回路で使用される様々な高周波部品に適用可能である。また、チップコンデンサの内部においても本実施の形態で示したコンデンサの構造を適用することが可能である。
【００６８】
また、本発明に係る高周波コンデンサ及びそれを用いた高周波電子部品を構成する基板の材料につていは材料に関する限定されるものではなく、セラミック材料で合ってもよく、また樹脂材料であってもよい。
【００６９】
【発明の効果】
以上説明したように、本発明によれば、次のような効果を奏することができる。
【００７０】
（１）高周波部品の設計において周波数特性の広帯域化が可能となる高周波コンデンサを提供できる。
【００７１】
（２）高周波部品の周波数特性の設計において複数の特定な高周波帯域で低インピーダンス帯域を設定できる高周波コンデンサを提供できる。
【００７２】
（３）高周波部品の構成素子に関して、回路形態の変更を行わず、コンデンサパターンを複数構成にするだけであるので、低周波側においては殆ど電気特性を変化させず、高周波側のみ特性を改善することができる。
【００７３】
（４）高周波部品の構成素子に関して、回路形態の変更を行わず、コンデンサパターンを複数構成にするだけであるので、極端にパターニング領域が大型化しない。
【００７４】
（５）高周波部品の構成素子に関して、回路形態の変更を行わず、コンデンサパターンを複数構成にするだけであるので、信号の挿入損失についても増大することはない。
【００７５】
（６）高周波コンデンサを構成する複数のコンデンサを同一誘電体層で形成することにより、製造時において前記誘電体層は同一厚みで形成されるので、前記複数のコンデンサの形成容量がそれぞれの前記複数のコンデンサ間で安定化すると共に、それにより合成される前記高周波コンデンサの容量値も安定する。
【図面の簡単な説明】
【図１】本発明に係る高周波用コンデンサ及びそれを用いた高周波部品の第１の実施の形態であるローパスフィルタ（ＬＰＦ）の構造を説明した分解斜視図である。
【図２】本発明に係る高周波用コンデンサ及びそれを用いた高周波部品の第１の実施の形態であるローパスフィルタ（ＬＰＦ）の等価回路を示した図である。
【図３】本発明に係る高周波用コンデンサ及びそれを用いた高周波部品の第１及び第２の実施の形態であるローパスフィルタ（ＬＰＦ）の外観を示した図である。
【図４】本発明に係る高周波用コンデンサ及びそれを用いた高周波部品の第１の実施の形態であるローパスフィルタ（ＬＰＦ）の信号入出力に関する周波数特性を示した図である。
【図５】本発明に係る高周波用コンデンサ及びそれを用いた高周波部品の第１の実施の形態であるローパスフィルタ（ＬＰＦ）の構造の変形例を説明した分解斜視図である。
【図６】本発明に係る高周波用コンデンサ及びそれを用いた高周波部品の第２の実施の形態であるローパスフィルタ（ＬＰＦ）の構造を説明した分解斜視図である。
【図７】本発明に係る高周波用コンデンサ及びそれを用いた高周波部品の第２の実施の形態であるローパスフィルタ（ＬＰＦ）の等価回路を示した図である。
【図８】本発明に係る高周波用コンデンサ及びそれを用いた高周波部品の第２の実施の形態であるローパスフィルタ（ＬＰＦ）の信号入出力に関する周波数特性を示した図である。
【図９】発明に係る高周波コンデンサのインピーダンス特性について説明した図である。
【図１０】従来のコンデンサを用いたＬＰＦの構造を説明した分解斜視図である。
【図１１】従来のコンデンサを用いたＬＰＦの等価回路を示した図である。
【図１２】従来のコンデンサを用いたＬＰＦの外観を示した図である。
【図１３】従来のコンデンサを用いたＬＰＦの信号入出力に関する周波数特性を示した図である。
【符号の説明】
１１〜１７、１１１〜１１７　誘電体シート
１０、１００　ＬＰＦ
６１〜６６、５１１〜５１３、５２１〜５２３　外部電極
５０、１４１、１４２、１４６、１４７、１５０、２４１、２４２、２４６、２４７　ＧＮＤ電極パターン
３１、３６、１３１、１３２、１３６、１３７、２３１、２３２、２３６、２３７　コンデンサの電極パターン
１３４、１３９、１４４、１４９、２３４、２３９、２４４、２４９　ライン状電極
１５１、１５２　切り欠き部
２１、２２、１２１、１２２　コイルの電極
【図１】
2004063897.tif 000003
【図２】
2004063897.tif 000004
【図３】
2004063897.tif 000005
【図４】
2004063897.tif 000006
【図５】
2004063897.tif 000007
【図６】
2004063897.tif 000008
【図７】
2004063897.tif 000009
【図８】
2004063897.tif 000010
【図９】
2004063897.tif 000011
【図１０】
2004063897.tif 000012
【図１１】
2004063897.tif 000013
【図１２】
2004063897.tif 000014
【図１３】
2004063897.tif 000015